(57)【要約】      （修正有）【課題】一次コイルの電磁誘導範囲内で外部家電製品を多方向回転させることができ、外部家電製品に多方向無線電力供給を行うことができる弧状コイルによる誘導電力を利用した多方向無線電力供給装置を提供する。【解決手段】ソケット１０、導電性コンタクト２０、電源変換ユニット３０及び二次コイル２０１を備える。ソケット１０は、頂面が弧面に形成されたハウジング１１を有する。導電性コンタクト２０は、ハウジング１１上に取り付けられ、外部電源と電気的に接続される。電源変換ユニット３０は、ハウジング１１内に配設され、一端が導電性コンタクト２０と電気的に接続される。二次コイル２０１は、ハウジング１１内に取り付けられ、ハウジング１１の弧面１２に対応して弧状に形成されるとともに、電源変換ユニット３０の他端と電気的に接続される。【選択図】図９
0003184526.tif 000002
【実用新案登録請求の範囲】
【請求項１】
ソケット、導電性コンタクト、電源変換ユニット及び二次コイルを備えた弧状コイルによる誘導電力を利用した多方向無線電力供給装置であって、
ソケットは、頂面が弧面に形成されたハウジングを有し、
導電性コンタクトは、ハウジング上に取り付けられ、外部電源と電気的に接続され、
電源変換ユニットは、ハウジング内に配設され、一端が導電性コンタクトと電気的に接続され、
二次コイルは、ハウジング内に取り付けられ、ハウジングの弧面に対応して弧状に形成されるとともに、電源変換ユニットの他端と電気的に接続されることを特徴とする弧状コイルによる誘導電力を利用した多方向無線電力供給装置。
【請求項２】
ハウジングの頂面は、凹弧面に形成されることを特徴とする請求項１に記載の弧状コイルによる誘導電力を利用した多方向無線電力供給装置。
【請求項３】
ハウジングの頂面は、凸弧面に形成されることを特徴とする請求項１に記載の弧状コイルによる誘導電力を利用した多方向無線電力供給装置。
【請求項４】
導電性コンタクトは、螺合ヘッドであり、ソケット底部に凹溝が凹設され、凹溝内に螺合ヘッドが埋設されて白熱電球用のソケットに螺合されて商用電源が供給されることを特徴とする請求項１に記載の弧状コイルによる誘導電力を利用した多方向無線電力供給装置。
【請求項５】
ハウジングの頂面の内周壁上には、二次コイルの外周に周設された複数の磁石がそれぞれ設けられていることを特徴とする請求項１に記載の弧状コイルによる誘導電力を利用した多方向無線電力供給装置。
【考案の詳細な説明】
【技術分野】
【０００１】
本考案は、多方向無線電力供給装置に関するものであり、さらに詳しくは、弧状コイルによる誘導電力を利用した多方向無線電力供給装置に関するものである。
【背景技術】
【０００２】
科学技術の発展に伴い、日常生活で家電製品に頼る場面が日増しに増えている。一般に家電製品には、電線を介して必要な電気エネルギが供給される。言い換えると、従来の電気供給方式は、有線電気供給装置を介して電気を供給し、外部家電製品に必要な電気エネルギを供給する。上述の有線電気供給装置は、一般に外部電源と電気的に接続される導電性プラグを有する。この導電性プラグは、一般に電線を介して外部の家電製品と電気的に接続され、外部の家電製品に必要な電気エネルギを供給するために用いる。そのため、例えば、照明器具、スクリーンなどの従来の家電製品を使用する際、多方向に回転させると電線が回転によりねじ曲がったり断裂したりすることがあり、電気供給装置の電線により外部家電製品の使用角度が制限されるという問題があった。
【考案の概要】
【考案が解決しようとする課題】
【０００３】
従って、本考案の課題は、家電製品等に電気エネルギーを供給する際に、電線等の接続手段により制限を受けずに他方向に自在に回転可能な電力供給装置を提供することにある。
【課題を解決するための手段】
【０００４】
そこで、本考案者は、上記の本考案の課題を解決するために鋭意検討を重ねた結果、一次コイルを外部家電製品に配設された二次コイルを組み合せて電磁誘導方式により、外部家電製品へ必要な電力を無線伝送することにより、接続用の電線を省略できることに着目し、かかる知見に基いて本考案に想到するに至った。
【０００５】
すなわち、本考案の目的は、一次コイルを、外部家電製品に配設された二次コイルと組み合わせ、電磁誘導方式により、外部家電製品へ必要な電力を無線伝送する多方向無線電力供給装置であって、外部家電製品と導電性コンタクトとを接続する電線を省略し、外部家電製品が制限を受けずに多方向で自在に回転することができ、その回転角度が制限を受けることがなく、弧面により外部家電製品と接続させ、一次コイルの電磁誘導範囲内で外部家電製品を多方向回転させることができ、多方向無線電力供給を行うこともできる弧状コイルによる誘導電力を利用した多方向無線電力供給装置を提供することにある。
【０００６】
かくして、本考案によれば、ソケット、導電性コンタクト、電源変換ユニット及び二次コイルを備えた弧状コイルによる誘導電力を利用した多方向無線電力供給装置であって、
ソケットは、頂面が弧面に形成されたハウジングを有し、
導電性コンタクトは、ハウジング上に取り付けられ、外部電源と電気的に接続され、
電源変換ユニットは、ハウジング内に配設され、一端が導電性コンタクトと電気的に接続され、
二次コイルは、ハウジング内に取り付けられ、ハウジングの弧面に対応して弧状に形成されるとともに、電源変換ユニットの他端と電気的に接続されることを特徴とする弧状コイルによる誘導電力を利用した多方向無線電力供給装置が提供される。
【０００７】
ハウジングの頂面は、凹弧面に形成されることが好ましい。
【０００８】
ハウジングの頂面は、凸弧面に形成されることが好ましい。
【０００９】
導電性コンタクトは、螺合ヘッドであり、ソケット底部に凹溝が凹設され、凹溝内に螺合ヘッドが埋設されて白熱電球用のソケットに螺合されて商用電源が供給されることが好ましい。
【００１０】
ハウジングの頂面の内周壁上には、二次コイルの外周に周設された複数の磁石がそれぞれ設けられていることが好ましい。
【考案の効果】
【００１１】
本考案は、上記の通りの構成からなり、後述の如く、電線等の接続手段による制約を受けずに、自在に回転させることができ、また、取り外しも容易であり、外部家電製品の互換性を有するものであって、利便性に著しく優れたものである。
【図面の簡単な説明】
【００１２】
【図１】図１は、本考案の第１実施形態に係る弧状コイルによる誘導電力を利用した多方向無線電力供給装置を示す斜視図である。
【図２】図２は、本考案の第１実施形態に係る弧状コイルによる誘導電力を利用した多方向無線電力供給装置を使用する状態を示す断面図である。
【図３】図３は、本考案の第１実施形態に係る弧状コイルによる誘導電力を利用した多方向無線電力供給装置を使用する状態を示す断面図である。
【図４】図４は、本考案の第１実施形態に係る弧状コイルによる誘導電力を利用した多方向無線電力供給装置を使用する状態を示す斜視図である。
【図５】図５は、本考案の第１実施形態に係る弧状コイルによる誘導電力を利用した多方向無線電力供給装置を示す斜視図である。
【図６】図６は、本考案の第２実施形態に係る弧状コイルによる誘導電力を利用した多方向無線電力供給装置の使用状態を示す断面図である。
【図７】図７は、本考案の第３実施形態に係る弧状コイルによる誘導電力を利用した多方向無線電力供給装置の使用状態を示す断面図である。
【図８】図８は、本考案の第３実施形態に係る弧状コイルによる誘導電力を利用した多方向無線電力供給装置の使用状態を示す断面図である。
【図９】図９は、本考案の第４実施形態に係る弧状コイルによる誘導電力を利用した多方向無線電力供給装置の使用状態を示す断面図である。
【考案を実施するための形態】
【００１３】
以下、本考案の実施形態について図面に基づいて説明する。なお、これによって本考案が限定されるものではない。
【００１４】
（第１実施形態）
図１及び図２を参照する。図１は、本考案の第１実施形態に係る弧状コイルによる誘導電力を利用した多方向無線電力供給装置を示す斜視図である。図２は、本考案の第１実施形態に係る弧状コイルによる誘導電力を利用した多方向無線電力供給装置を使用するときの状態を示す断面図である。図１及び図２に示すように、本考案の第１実施形態に係る弧状コイルによる誘導電力を利用した多方向無線電力供給装置１００は、少なくともソケット１０、導電性コンタクト２０、電源変換ユニット３０、一次コイル４０及び複数の磁石５０から構成される。
ソケット１０は、ハウジング１１を有する。ハウジング１１の頂面は、弧面１２に形成される。ハウジング１１は、組み立てられた後、完全に密閉され、第１実施形態のハウジング１１の頂面は凹弧面１２１に形成される。
【００１５】
導電性コンタクト２０は、ハウジング１１上に取り付けられ、外部電源と電気的に接続される。第１実施形態の導電性コンタクト２０はプラグである。
【００１６】
電源変換ユニット３０は、ハウジング１１内に取り付けられ、一端が導電性コンタクト２０と電気的に接続される。
【００１７】
一次コイル４０は、ハウジング１１内でハウジング１１頂面の内周壁上に配設されるとともに、ハウジング１１の弧面に対応して弧状が形成され、一次コイル４０が電源変換ユニット３０の他端と電気的に接続される。
【００１８】
複数の磁石５０は、ハウジング１１の頂面の内周壁上で、一次コイル４０の外周にそれぞれ周設される。
【００１９】
図３を参照する。図３は、本考案の第１実施形態に係る弧状コイルによる誘導電力を利用した多方向無線電力供給装置を使用するときの状態を示す断面図である。本考案の第１実施形態に係る弧状コイルによる誘導電力を利用した多方向無線電力供給装置の外部家電製品２００は、凹弧面１２１上に配設され、外部家電製品２００の凸弧面とハウジング１１の凹弧面１２１とが対応して配設されて位置決めされ、この構成により外部家電製品２００が凹弧面１２１上で自在に多方向回転することができる。外部家電製品２００内に二次コイル２０１が配設される。二次コイル２０１の範囲が一次コイル４０より小さいため、多方向回転の使用過程において、二次コイル２０１は一次コイル４０に対応する。本考案の第１実施形態に係る弧状コイルによる誘導電力を利用した多方向無線電力供給装置１００は、導電性コンタクト２０を介して外部電源と電気的に接続され、必要な電気エネルギを供給するとともに、電源変換ユニット３０を介して外部家電製品２００の電源規格を満たす電源に変換した後、一次コイル４０へ供給し、一次コイル４０により電気エネルギを磁力へ変換し、同時に外部家電製品２００内の二次コイル２０１が電磁誘導により電気エネルギを発生させ、電気エネルギを外部家電製品２００へ供給してその必要性を満たすことができる。これにより外部家電製品２００と導電性コンタクト２０との間を接続する電線を省略し、外部家電製品２００が制限を受けずに多方向で自在に回転することができる。さらに弧面１２を介して外部家電製品２００を弧状コイルによる誘導電力を利用した多方向無線電力供給装置１００に接続させ、外部家電製品２００が一次コイル４０の電磁誘導範囲内で多方向で自在に回転するようにして多方向の無線式電気供給を行う。
【００２０】
ここで外部家電製品２００は、蓄電池２０３を内蔵しているため、外部家電製品２００を弧状コイルによる誘導電力を利用した多方向無線電力供給装置１００に接続すると、弧状コイルによる誘導電力を利用した多方向無線電力供給装置１００は、外部家電製品２００へ電気を供給することができる上、蓄電池２０３に充電し、弧状コイルによる誘導電力を利用した多方向無線電力供給装置１００が外部家電製品２００に対して電気を供給した後、蓄電池２０３を介して電気エネルギを供給して使用することができる。この構成により、弧状コイルによる誘導電力を利用した多方向無線電力供給装置１００と外部家電製品２００とが着脱自在に接続され、外部家電製品２００を携帯して使用することが可能となる。
【００２１】
図３を参照する。図３に示すように、本考案の第一実施形態に係るハウジング１１の頂面の内周壁上には、複数の磁石５０が周設され、外部家電製品２００内に周設された複数の磁石２０２と組み合わせ、外部家電製品２００と凹弧面１２１とをより堅固に結合することができる。複数の磁石２０２は、外部家電製品２００の多方向回転の必要に応じ、異なる角度・位置で磁石５０を吸着させるが、他の実施形態では、外部家電製品２００内の複数の磁石２０２を吸着する金属でもよい。
【００２２】
ここで弧状コイルによる誘導電力を利用した多方向無線電力供給装置１００は、外部家電製品２００と着脱自在に接続されているため、外部家電製品２００を速やかに外すことができる。そのため、緊急時に速やかに外して外部家電製品２００内に内蔵した蓄電池２０３に電気エネルギを供給し続けることができ、便利に携帯することができる。
【００２３】
このように着脱自在に接続されているため、外部家電製品２００を簡便に交換することができるだけでなく、外部家電製品２００の互換性を高め、ユーザは、外部家電製品２００の選択幅を広げることができる。
これ以外に、ハウジング１１を組み立てた後、完全に密封され、電磁誘導により無線通信を行い、外部家電製品２００と接続された構造が露出されていないため、漏電する虞がない上、完全密閉された構造により防水機能を得ることができる。
【００２４】
図４を参照する。図４に示すように、本考案の第１実施形態に係る弧状コイルによる誘導電力を利用した多方向無線電力供給装置１００は、図３を併せて参照すると分かるように、凹弧面１２１上にスクリーン３００が配設され、凹弧面１２１上でスクリーン３００が何ら制限を受けずに多方向回転を自在に行うことができる上、回転により電線が捻れたり断裂して損傷したりすることを防ぎながらスクリーン３００を様々な方向に向けて使用することができる。
【００２５】
図５を参照する。図５に示すように、本考案の第１実施形態に係るもう一つの実施例は、図３を併せて参照すると分かるように、弧状コイルによる誘導電力を利用した多方向無線電力供給装置１００の凹弧面１２１上には、ランプ４００が配設され、凹弧面１２１上でランプ４００は、何ら制限を受けずに自在に多方向回転させることができ、回転により電線が捻れたり断裂して損傷したりすることを防ぐことができる。この構成により、ランプ４００を多方向照明として使用することができる上、ランプ４００内部に蓄電池が配設されているため、容易に外して携帯したり、特定の行為を行うために使用したりすることができる。この特定の行為には、例えば、ランプ４００を取り外して近距離で照明ランプとして利用したり、物を探すためにサーチライトとして使用したり、更には停電などの緊急時に速やかに取り外して携帯したりすることが含まれる。
【００２６】
（第２実施形態）
図６を参照する。図６に示すように、本考案の第２実施形態に係る弧状コイルによる誘導電力を利用した多方向無線電力供給装置は、第１実施形態に係る弧状コイルによる誘導電力を利用した多方向無線電力供給装置と異なり、凹弧面１２１を覆う方式により、凸弧面を有する外部家電製品２００を位置決めし、磁石の配設が省略されているが、外部家電製品２００を多方向で回転させて使用することができる。
【００２７】
（第３実施形態）
図７及び図８を参照する。図７及び図８に示すように、本考案の第３実施形態に係る弧状コイルによる誘導電力を利用した多方向無線電力供給装置は、第１実施形態に係る弧状コイルによる誘導電力を利用した多方向無線電力供給装置と異なり、ハウジング１１の頂面が凸弧面１２２に形成される。本考案の第３実施形態に係る弧状コイルによる誘導電力を利用した多方向無線電力供給装置は、凹弧面を有する外部家電製品２００を凸弧面１２２上に配設して位置決め効果を得ることができる。外部家電製品２００内に周設された複数の磁石２０２により結合度を高め、凸弧面１２２上で外部家電製品２００を多方向回転させることができる。外部家電製品２００内に二次コイル２０１を設け、電磁誘導方式により電気エネルギを伝送し、二次コイル２０１の範囲が一次コイル４０より大きいため、外部家電製品２００が多方向で回転する際でも二次コイル２０１は一次コイル４０に対応する。
【００２８】
（第４実施形態）
図９を参照する。図９に示すように、本考案の第４実施形態に係る弧状コイルによる誘導電力を利用した多方向無線電力供給装置は、第３実施形態に係る弧状コイルによる誘導電力を利用した多方向無線電力供給装置と異なり、導電性コンタクト２０が螺合ヘッド２１である。ソケット１０底部に凹溝１３が凹設され、凹溝１３内に螺合ヘッド２１が埋設されて白熱電球用のソケットに螺合されて商用電源が供給される。弧状コイルによる誘導電力を利用した多方向無線電力供給装置１００に結合された外部家電製品２００を多方向で自在に回転させることができる。また、外部家電製品２００は螺合されていないため、着脱を自在に行うことができる。外部家電製品２００を外して交換することが容易であるが、弧状コイルによる誘導電力を利用した多方向無線電力供給装置１００と外部家電製品２００との接続が外部に露出しない電気的接続構造であるため、漏電の虞がなく、外部家電製品２００を外して安全に交換することができる。
【００２９】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１０  ソケット
１１  ハウジング
１２  弧面
１３  凹溝
２０  導電性コンタクト
２１  螺合ヘッド
３０  電源変換ユニット
４０  一次コイル
５０  磁石
１００  弧状コイルによる誘導電力を利用した多方向無線電力供給装置
１２１  凹弧面
１２２  凸弧面
２００  外部家電製品
２０１  二次コイル
２０２  磁石
２０３  蓄電池
３００  スクリーン
４００  ランプ
【図１】
0003184526.tif 000003
【図２】
0003184526.tif 000004
【図３】
0003184526.tif 000005
【図４】
0003184526.tif 000006
【図５】
0003184526.tif 000007
【図６】
0003184526.tif 000008
【図７】
0003184526.tif 000009
【図８】
0003184526.tif 000010
【図９】
0003184526.tif 000011